(57)【要約】  ＣＰＵ３８が、第１の信号線４４Ａおよび第２の信号線４５Ａを介して、センサハウジング１５内に収容された第１の判断回路３６に接続されている。第１の判断回路３６は、第１〜４のトルク信号ライン４６，４７，４８，４９を介して、４重系トルクセンサ１６の第１〜４のトルク検出素子３２ａ，３３ａ，３４ａ，３５ａにそれぞれ接続されている。トルク検出素子３２ａ，３３ａ，３４ａ，３５ａからのトルク信号は、第１の判断回路３６において所定の判断方法により正常および異常が判断される。そして、正常と判断された２つの正常トルク信号が、第１の信号線４４Ａおよび第２の信号線４５Ａを介してＣＰＵ３８へとそれぞれ伝達される。
2016163249.tif 000002
【特許請求の範囲】
【請求項１】
ステアリングホイールの操舵操作に応じて転舵輪を転舵させる操舵機構と、
上記操舵機構に操舵力を付与する電動モータと、
第１のマイクロプロセッサを備え、上記電動モータを駆動制御する制御装置と、
上記操舵機構または上記電動モータに設けられ、操舵状態を検出する操舵状態検出部であって、複数の検出素子の夫々から出力される複数の信号、または共通の検出素子によって検出された後、互いに異なる複数の電子回路を介して出力される複数の信号である第１の信号、第２の信号および第３の信号を出力する操舵状態検出部と、
上記操舵状態検出部と上記制御装置との間に設けられた第２のマイクロプロセッサと、
上記第２のマイクロプロセッサに設けられ、上記第１の信号、上記第２の信号および上記第３の信号が入力され、上記第１の信号、上記第２の信号および上記第３の信号同士を比較することにより、上記第１の信号、上記第２の信号または上記第３の信号が正常であるか異常であるかを判断する第１の判断回路と、
上記制御装置に設けられ、上記第１の判断回路の出力信号が入力される第１の判断回路出力信号受信部と、
上記制御装置に設けられ、上記第１の信号、上記第２の信号および上記第３の信号のうちの上記第１の判断回路において正常と判断された信号に基づいて、上記電動モータへの指令信号を演算し、出力するモータ指令信号演算部と、
を有することを特徴とするパワーステアリング装置。
【請求項２】
請求項１に記載のパワーステアリング装置は、上記制御装置を収容する第１のハウジングと、上記第２のマイクロプロセッサを収容する第２のハウジングと、上記第１のハウジングと上記第２のハウジングとを接続し、上記第１の判断回路の出力信号を上記制御装置に伝達する信号線と、を備えることを特徴とするパワーステアリング装置。
【請求項３】
請求項２に記載のパワーステアリング装置において、上記信号線は、第１の信号線および第２の信号線を有することを特徴とするパワーステアリング装置。
【請求項４】
請求項３に記載のパワーステアリング装置において、上記第１の信号線の出力信号および上記第２の信号線の出力信号は、通信の開始を示すトリガーパルスと通信の終了を示すエンドパルスとの間に車両の運転状態を示す所定の複数のデータが含まれるシリアルデータ信号であって、
上記第１のマイクロプロセッサは、上記第１の信号線の出力信号または上記第２の信号線の出力信号内に上記所定の複数のデータの少なくとも１つが含まれていない、または上記所定の複数のデータの順序が異なることを検出することにより、上記第１の信号線の出力信号または上記第２の信号線の出力信号の異常を検出する第２の判断回路を有することを特徴とするパワーステアリング装置。
【請求項５】
請求項３に記載のパワーステアリング装置において、上記第１の信号は、上記第１の信号線により上記制御装置に伝達され、
上記第２の信号は、上記第２の信号線により上記制御装置に伝達され、
上記制御装置は、上記第１の信号、上記第２の信号および上記第３の信号のうちの２つを選択し、これらの２つの信号同士の比較を行うことにより、これらの２つの信号が正常であるか異常であるかを判断する異常判断回路を有することを特徴とするパワーステアリング装置。
【請求項６】
請求項２に記載のパワーステアリング装置において、上記操舵状態検出部は、上記第１の信号、上記第２の信号および上記第３の信号を検出するための検出素子または電子回路とは異なる検出素子または電子回路によって検出される第４の信号を出力し、
上記第１の判断回路は、上記第１の信号、上記第２の信号、上記第３の信号または上記第４の信号が正常であるか異常であるかを判断することを特徴とするパワーステアリング装置。
【請求項７】
請求項６に記載のパワーステアリング装置において、上記信号線は、上記第１の判断回路の出力信号を上記制御装置に伝達する少なくとも１つの信号伝達ラインであり、
上記パワーステアリング装置は、上記制御装置側から上記第２のマイクロプロセッサに電力を供給する少なくとも２つの電力供給ラインと、接地用の２つのグランドラインと、をさらに有することを特徴とするパワーステアリング装置。
【請求項８】
請求項１に記載のパワーステアリング装置において、上記第１の判断回路は、第１の電源から電力が供給される第１の電力供給部と、上記第１の電源とは異なる第２の電源から電力が供給される第２の電力供給部と、に接続されていることを特徴とするパワーステアリング装置。
【請求項９】
請求項８に記載のパワーステアリング装置において、上記第１の電源からの電力は、上記操舵状態検出部のうちの上記第１の信号を検出する上記検出素子または上記電子回路に供給され、
上記第２の電源からの電力は、上記操舵状態検出部のうちの上記第２の信号を検出する上記検出素子または上記電子回路に供給されることを特徴とするパワーステアリング装置。
【請求項１０】
請求項８に記載のパワーステアリング装置において、上記制御回路は、上記第１の電源の異常を検出する第１の電源異常検出回路と、上記第２の電源の異常を検出する第２の電源異常検出回路と、を有することを特徴とするパワーステアリング装置。
【請求項１１】
アクチュエータを備えた車両搭載機器の制御装置であって、
第１のマイクロプロセッサを備え、上記アクチュエータを駆動制御する制御装置と、
上記車両搭載機器に設けられ、車両の運転状態を検出する運転状態検出部であって、複数の検出素子の夫々から出力される複数の信号、または共通の検出素子によって検出された後、互いに異なる複数の電子回路を介して出力される複数の信号である第１の信号、第２の信号および第３の信号を出力する運転状態検出部と、
上記運転状態検出部と上記制御装置との間に設けられた第２のマイクロプロセッサと、
上記第２のマイクロプロセッサに設けられ、上記第１の信号、上記第２の信号および上記第３の信号が入力され、上記第１の信号、上記第２の信号および上記第３の信号同士を比較することにより、上記第１の信号、上記第２の信号または上記第３の信号が正常であるか異常であるかを判断する第１の判断回路と、
上記制御装置に設けられ、上記第１の判断回路の出力信号が入力される第１の判断回路出力信号受信部と、
上記制御装置に設けられ、上記第１の信号、上記第２の信号および上記第３の信号のうちの上記第１の判断回路において正常と判断された信号に基づいて、上記アクチュエータへの指令信号を演算し、出力するアクチュエータ指令信号演算部と、
を有することを特徴とする車両搭載機器の制御装置。
【請求項１２】
請求項１１に記載の車両搭載機器の制御装置は、上記制御装置を収容する第１のハウジングと、上記第２のマイクロプロセッサを収容する第２のハウジングと、上記第１のハウジングと上記第２のハウジングとを接続し、上記第１の判断回路の出力信号を上記制御装置に伝達する信号線と、を備えることを特徴とする車両搭載機器の制御装置。
【請求項１３】
請求項１２に記載の車両搭載機器の制御装置において、上記信号線は、第１の信号線および第２の信号線を有することを特徴とする車両搭載機器の制御装置。
【請求項１４】
請求項１３に記載の車両搭載機器の制御装置において、上記第１の信号線の出力信号および上記第２の信号線の出力信号は、通信の開始を示すトリガーパルスと通信の終了を示すエンドパルスとの間に車両の運転状態を示す所定の複数のデータが含まれるシリアルデータ信号であって、
上記第１のマイクロプロセッサは、上記第１の信号線の出力信号または上記第２の信号線の出力信号内に上記所定の複数のデータの少なくとも１つが含まれていない、または上記所定の複数のデータの順序が異なることを検出することにより、上記第１の信号線の出力信号または上記第２の信号線の出力信号の異常を検出する第２の判断回路を有することを特徴とする車両搭載機器の制御装置。
【請求項１５】
請求項１３に記載の車両搭載機器の制御装置において、上記第１の信号は、上記第１の信号線により上記制御装置に伝達され、
上記第２の信号は、上記第２の信号線により上記制御装置に伝達され、
上記制御装置は、上記第１の信号、上記第２の信号および上記第３の信号のうちの２つを選択し、これらの２つの信号同士の比較を行うことにより、これらの２つの信号が正常であるか異常であるかを判断する異常判断回路を有することを特徴とする車両搭載機器の制御装置。
【請求項１６】
請求項１２に記載の車両搭載機器の制御装置において、上記運転状態検出部は、上記第１の信号、上記第２の信号および上記第３の信号を検出するための検出素子または電子回路とは異なる検出素子または電子回路によって検出される第４の信号を出力し、
上記第１の判断回路は、上記第１の信号、上記第２の信号、上記第３の信号または上記第４の信号が正常であるか異常であるかを判断することを特徴とする車両搭載機器の制御装置。
【請求項１７】
請求項１６に記載の車両搭載機器の制御装置において、上記信号線は、上記第１の判断回路の出力信号を上記制御装置に伝達する少なくとも１つの信号伝達ラインであり、
上記車両搭載機器の制御装置は、上記制御装置側から上記第２のマイクロプロセッサに電力を供給する少なくとも２つの電力供給ラインと、接地用の２つのグランドラインと、をさらに有することを特徴とする車両搭載機器の制御装置。
【請求項１８】
請求項１１に記載の車両搭載機器の制御装置において、上記第１の判断回路は、第１の電源から電力が供給される第１の電力供給部と、上記第１の電源とは異なる第２の電源から電力が供給される第２の電力供給部と、に接続されていることを特徴とする車両搭載機器の制御装置。
【請求項１９】
請求項１８に記載の車両搭載機器の制御装置において、上記第１の電源からの電力は、上記操舵状態検出部のうちの上記第１の信号を検出する上記検出素子または上記電子回路に供給され、
上記第２の電源からの電力は、上記操舵状態検出部のうちの上記第２の信号を検出する上記検出素子または上記電子回路に供給されることを特徴とする車両搭載機器の制御装置。
【請求項２０】
請求項１８に記載の車両搭載機器の制御装置において、上記制御回路は、上記第１の電源の異常を検出する第１の電源異常検出回路と、上記第２の電源の異常を検出する第２の電源異常検出回路と、を有することを特徴とする車両搭載機器の制御装置。
【発明の詳細な説明】
【技術分野】
【０００１】
本発明は、車両に適用されるパワーステアリング装置および車両搭載機器の制御装置に関する。
【背景技術】
【０００２】
特許文献１には、操舵軸に複数のセンサを設けてなる電動パワーステアリング装置が開示されている。この電動パワーステアリング装置では、上記複数のセンサにより検出された操舵軸に関する複数の信号が、制御装置（ＥＣＵ）内のＣＰＵで同時に読み込まれる。そして、これらの信号を比較することにより、異常信号が検出される。
【先行技術文献】
【特許文献】
【０００３】
【特許文献１】特開２００５−１８６７５９号公報
【発明の概要】
【発明が解決しようとする課題】
【０００４】
しかし、特許文献１に記載の電動パワーステアリング装置のような構成では、ＣＰＵが複数の信号の取り込みや異常信号の検出等を行う必要があるため、ＣＰＵにかかる演算負荷が増大する虞がある。【０００５】
また、近年、装置の高機能化に伴い、より多くのセンサが装置に組み込まれる傾向にある。このような場合、ＣＰＵにかかる演算負荷がさらに増大し、ＣＰＵの性能の向上や大型化が必要になってくる。
【課題を解決するための手段】
【０００６】
本発明では、特に、第２のマイクロプロセッサが操舵状態検出部と制御装置との間に設けられており、第２のマイクロプロセッサにおいて、上記操舵状態検出部からの第１の信号、第２の信号および第３の信号が第１の判断回路に入力され、該第１の判断回路は、上記第１の信号、上記第２の信号および上記第３の信号同士を比較することにより、上記第１の信号、上記第２の信号または上記第３の信号が正常であるか異常であるかを判断する。
【発明の効果】
【０００７】
本発明によれば、上記第１の信号、上記第２の信号および上記第３の信号についての正常または異常の判断が電動モータ駆動用の第１のマイクロプロセッサよりも上流側で予め行われた後に、第１のマイクロプロセッサが、正常と判断された信号に基づいて電動モータの駆動制御を行うので、第１のマイクロプロセッサの演算負荷を低減することができるとともに、装置の安全性を高めることができる。【０００８】
即ち、第１のマイクロプロセッサの外部で、通常では第１のマイクロプロセッサが行うべき信号についての正常および異常の判断を予め行っておくことで、第１のマイクロプロセッサの演算負荷が低減する。
【図面の簡単な説明】
【０００９】
【図１】本発明に係るパワーステアリング装置の概略図である。
【図２】図１のセンサハウジングの分解斜視図である。
【図３】本発明に係るパワーステアリング装置の第１の実施例のシステムブロック図である。
【図４】図３のＣＰＵの機能ブロック図である。
【図５】本発明に係るパワーステアリング装置の第２の実施例のシステムブロック図である。
【図６】本発明に係るパワーステアリング装置の第３の実施例のシステムブロック図である。
【発明を実施するための形態】
【００１０】
以下、本発明に係るパワーステアリング装置の実施例を、図面に基づいて説明する。
【００１１】
図１に示すように、車両の運転室内に配置されたステアリングホイール１と、車両の前輪である転舵輪２Ａ，２Ｂとが、操舵機構３によって機械的に連結されている。上記操舵機構３は、中間軸４および自在継手５を介して上記ステアリングホイール１と一体的に回転するように連結された操舵軸６と、上記操舵軸６に図示しないトーションバーを介して連結されたピニオン軸７と、上記ピニオン軸７の外周に設けられたピニオン７Ａと噛み合うラック８Ａが外周に設けられたラックバー８と、を備えている。そして、ラックバー８の両端部は、それぞれボールジョイント９，１０、タイロッド１１，１２およびナックルアーム１３，１４等を介して対応する転舵輪２Ａ，２Ｂに連結されている。
【００１２】
このような構成により、運転者がステアリングホイール１を回転操作すると、これに伴って中間軸４および操舵軸６が軸回りに回転して上記トーションバーが捩られ、これにより生じるトーションバーの弾性力によって、ピニオン軸７が操舵軸６に追従して回転する。そして、上記ピニオン軸７の回転運動が上記のラック８Ａおよびピニオン７Ａからなるラック＆ピニオン機構によりラックバー８の軸方向に沿う直線運動に変換され、ボールジョイント９，１０およびタイロッド１１，１２を介してナックルアーム１３，１４が車幅方向へと引っ張られることによって、転舵輪２Ａ，２Ｂの向きが変更される。
【００１３】
ここで、上記操舵軸６およびピニオン軸７を収容するセンサハウジング１５には、各種の情報を検出するセンサとして、操舵軸６の操舵角を検出する図示しない操舵角センサと、上記トーションバーの捩れによる操舵軸６とピニオン軸７の相対回転角度差に基づいて操舵軸６に入力された操舵トルク（操舵状態）を検出する操舵状態検出部である後述する４重系トルクセンサ１６（図３）と、が設けられている。
【００１４】
なお、上記センサハウジング１５は、特許請求の範囲に記載の「第２のハウジング」に相当する。
【００１５】
操舵機構３に操舵力を付与する電動モータ１７は、その出力軸１８の先端部外周に固設された入力プーリ１９と、ラックバー８の外周に固設された出力プーリ２０と、がベルト２１を介して接続されることで、上記ラックバー８と連係されている。上記出力プーリ２０とラックバー８との間には、減速機である図示しないボールねじ機構が介装されている。
【００１６】
コントロールユニットとしての制御装置（ＥＣＵ）２２は、電動モータ１７と一体に構成され、各種制御処理を記憶および実行する機能を有し、上記操舵角および操舵トルクの情報に基づいて、上記操舵機構３に操舵アシストトルクを付与する電動モータ１７を駆動制御する。制御装置２２は、制御装置用ハウジング２３内に収容されている。
【００１７】
なお、上記制御装置用ハウジング２３は、特許請求の範囲に記載の「第１のハウジング」に相当する。
【００１８】
図２に示すように、センサハウジング１５は、扇形の舵角センサ用ケース２４と、この舵角センサ用ケース２４の下方に位置する円形のトルクセンサ用ケース２５と、を備えている。
【００１９】
上記舵角センサ用ケース２４には、舵角センサ用回路基板２６が３本のネジ２７により固定されている。
【００２０】
一方、上記トルクセンサ用ケース２５には、トルクセンサ用回路基板２８が２本のネジ２９により固定されている。トルクセンサ用回路基板２８には、上記４重系トルクセンサ１６と、制御装置２２側の図示しないコネクタにハーネスを介して接続されるセンサ側コネクタ３０と、トルクセンサ用回路基板２８に舵角センサ用回路基板２６を接続する基板接続用コネクタ３１と、が実装されている。上記４重系トルクセンサ１６は、例えば磁界（磁束）を検出するホールＩＣとしての同一の構造からなる第１〜４のトルク検出素子３２ａ，３３ａ，３４ａ，３５ａ（図３参照）と、整列した４本の端子が各検出素子から突出してなる計１６本の接続端子３２ｂ，３３ｂ，３４ｂ，３５ｂと、を備えている。このように構成された４重系トルクセンサ１６は、操舵軸６が貫通する中央の軸穴３６の両側でトルクセンサ用回路基板２８の裏側（トルクセンサ用ケース２５に向かう側）に一対のトルク検出素子３２ａ，３４ａおよび一対のトルク検出素子３３ａ，３５ａをそれぞれ配置し、かつ図示したように２つのトルク検出素子の２列からなる８本ずつの接続端子３２ｂ，３２ｂ，３２ｂ，３２ｂ，３４ｂ，３４ｂ，３４ｂ，３４ｂおよび３３ｂ，３３ｂ，３３ｂ，３３ｂ，３５ｂ，３５ｂ，３５ｂ，３５ｂがトルクセンサ用回路基板２８の裏側から表側へと貫通するようにして、トルクセンサ用回路基板２８に接続されている。トルク検出素子３２ａ，３３ａ，３４ａ，３５ａからの出力信号が、モータ指令信号の演算に用いられる。また、トルクセンサ用回路基板２８の裏側には、第１〜４のトルク検出素子３２ａ，３３ａ，３４ａ，３５ａにより検出したトルク信号が正常であるか異常であるかを制御装置２２よりも上流側で判断する自己診断機能を有した後述する第１の判断回路３６となるマイクロプロセッサ(第２のマイクロプロセッサ)が実装されている。
【００２１】
上記のように舵角センサ用ケース２４に舵角センサ用回路基板２６を取り付け、さらにトルクセンサ用ケース２５にトルクセンサ用回路基板２８を取り付けた上で、舵角センサ用ケース２４は、２本のネジ３７を用いてトルクセンサ用ケース２５に固定される。
【００２２】
次に、図３を参照して、本発明に係るパワーステアリング装置の第１の実施例を説明する。
【００２３】
図３に示すように、上記制御装置２２は、上記４重系トルクセンサ１６からのトルク信号に基づいて電動モータ１７への指令信号を演算するＣＰＵ３８（第１のマイクロプロセッサ)と、該ＣＰＵ３８からの指令信号が入力される集積回路（ＩＣ）であるプリドライバ３９と、該プリドライバ３９からの指令信号に基づいて駆動制御され、かつ電源としてのバッテリＢの電力を直流から交流に変換して電動モータ１７へ供給するインバータ４０と、を備えている。上記ＣＰＵ３８には、該ＣＰＵ３８を監視するＣＰＵ監視部４１と、ＣＰＵ３８へ電力を供給するＣＰＵ用電力供給部４２と、が接続されている。
【００２４】
また、インバータ４０に設けられたモータ電流検出部４３によって、上記電動モータ１７に実際に流れる電流であるモータ電流Ｉｍが上記ＣＰＵ３８にフィードバックされるようになっている。
【００２５】
ＣＰＵ３８は、第１の信号線（トルク信号伝達ライン）４４Ａおよび第２の信号線（トルク信号伝達ライン）４５Ａを介して、上記制御装置用ハウジング２３の上流側の別体の上記センサハウジング１５内に収容された第１の判断回路３６に接続されている。上記第１の判断回路３６は、第１〜４のトルク信号ライン４６，４７，４８，４９を介して、同じく上記センサハウジング１５内に収容された上記４重系トルクセンサ１６の第１〜４のトルク検出素子３２ａ，３３ａ，３４ａ，３５ａにそれぞれ接続されている。従って、第１の判断回路３６は、第１〜４のトルク検出素子３２ａ，３３ａ，３４ａ，３５ａと制御装置２２との間に設けられている。ここで、上記４重系トルクセンサのトルク検出素子は、第１のトルク検出素子３２ａと第３のトルク検出素子３４ａとが対となり、さらに、第２のトルク検出素子３３ａと第４のトルク検出素子３５ａとが対となるように配列されている。
【００２６】
また、上記制御装置２２は、第１の電源（図示せず）から電力を供給する第１の電力供給部５０と、上記第１の電源とは異なる第２の電源（図示せず）から電力を供給する第２の電力供給部５１と、を備えている。第１の電力供給部５０は、第１の電力供給ライン５２を介して第１の判断回路３６、第１のトルク検出素子３２ａおよび第３のトルク検出素子３４ａに接続されている。また、第２の電力供給部５１は、第２の電力供給ライン５３を介して第１の判断回路３６、第２のトルク検出素子３３ａおよび第４のトルク検出素子３５ａに接続されている。従って、第１の電力供給部５０と第２の電力供給部５１との間に、２つの電力供給ライン５２，５３が設けられている。
【００２７】
さらに、上記第１の電力供給部５０は、接地用の第１のグランドライン５４を介して第１の判断回路３６、第１のトルク検出素子３２ａおよび第３のトルク検出素子３４ａに接続されている。また、上記第２の電力供給部５１は、接地用の第２のグランドライン５５を介して第２のトルク検出素子３３ａおよび第４のトルク検出素子３５ａに接続されている。
【００２８】
また、この実施例では、上記制御装置２２内に、電動モータ１７の回転数を検出する４重系モータ回転センサ５６が設けられている。この４重系モータ回転センサ５６は、上記４重系トルクセンサ１６側と同様に正常、異常の判断を上流側で行うために、正常モータ回転信号判断回路５７が、４重系モータ回転センサ５６に近い位置に設けられており、第１〜４のモータ回転ライン６０，６１，６２，６３を介して第１〜４のモータ回転検出素子６４ａ，６５ａ，６６ａ，６７ａが正常モータ回転信号判断回路５７にそれぞれ接続されている。また、正常モータ回転信号判断回路５７は、モータ回転信号伝達ライン５８を介してＣＰＵ３８に接続されている。モータ回転数は操舵トルクに相関するので、上記４重系モータ回転センサ５６は、やはり特許請求の範囲に記載の「操舵状態検出部」に相当する。
【００２９】
なお、正常モータ回転信号判断回路５７とＣＰＵ３８とを２つの信号伝達ラインを用いて接続するようにしても良い。
【００３０】
さらに、上記制御装置２２は、上記４重系トルクセンサ１６側への電力供給と同様に、第３の電力供給部６８および第４の電力供給部６９を備えており、これらの電力供給部６８，６９は、第３の電力供給ライン７０および第４の電力供給ライン７１を介して正常モータ回転信号判断回路５７および対応する第１〜４のモータ回転検出素子６４ａ，６５ａ，６６ａ，６７ａに接続されている。
【００３１】
また、上記第３の電力供給部６８は、第３のグランドライン７２を介して第１，３のモータ回転検出素子６４ａ，６６ａに接続されている。一方、第４の電力供給部６９は、第４のグランドライン７３を介して第２，４のモータ回転検出素子６５ａ，６７ａに接続されている。
【００３２】
次に、図４は、図３のＣＰＵ３８の機能ブロック図である。
【００３３】
ＣＰＵ３８は、上記第１の判断回路３６から第１の信号線４４Ａおよび第２の信号線４５Ａを介してそれぞれ伝達された後述する第１の正常トルク信号Ｔｒｎ1および第２の正常トルク信号Ｔｒｎ2同士を比較する信号比較回路７４と、該信号比較回路７４での正常トルク信号Ｔｒｎ1，Ｔｒｎ2の比較結果に基づいてトルク信号の異常を判断する信号異常判断回路７５と、該信号異常判断回路７５で異常と判断された場合に第１の正常トルク信号Ｔｒｎ1に依存しない所定のフェールセーフモードに移行するフェールセーフ処理部７７と、第１の正常トルク信号Ｔｒｎ1に基づいて上記電動モータ１７を制御するための目標とする指令信号を演算する上記モータ指令信号演算部７６と、該指令信号に基づいて上記電動モータ１７を駆動制御するモータ制御部７８と、を備えている。上記電動モータ１７は、モータ制御部７８から上記プリドライバ３９を介して制御される。
【００３４】
また、ＣＰＵ３８は、第１の電力供給部５０からの電圧を監視する第１のセンサ電源電圧監視回路７９と、該監視回路７９で監視された電圧に基づいて第１の電源の異常を判断する第１の電源異常検出回路８０と、第２の電力供給部５１からの電圧を監視する第２のセンサ電源電圧監視回路８１と、該監視回路８１で監視された電圧に基づいて第２の電源の異常を判断する第２の電源異常検出回路８２と、をさらに備えている。第１の電源異常検出回路８０で第１の電源の異常が判断された場合または第２の電源異常検出回路８２で第２の電源の異常が判断された場合には、電源の異常がフェールセーフ処理部７７に送られる。このフェールセーフ処理部７７は、異常がある電源からの電力供給を遮断し、異常が無い電源からの電力供給によりトルク信号についての正常および異常の判断を継続するようにする。
【００３５】
なお、第１，２のセンサ電源電圧監視回路７９，８１は、第１，２の電力供給部５０，５１と同様に、上記第３，４の電力供給部６８，６９からの電圧も監視している。
【００３６】
次に、図３を再び参照することにより、第１の実施例におけるトルク信号についての正常および異常の判断を説明する。
【００３７】
まず、図上側の一対の第１，３のトルク検出素子３２ａ，３４ａにより検出した第１，３のトルク信号Ｔｒ1，Ｔｒ3が、第１の判断回路３６にそれぞれ出力され、これらのトルク信号Ｔｒ1，Ｔｒ3の差の絶対値Ｄ1（以下、「信号差Ｄ1」とする）が算出される。そして、第１の判断回路３６において、この信号差Ｄ1が所定の第１の閾値αと比較される。ここで、信号差Ｄ1が第１の閾値αよりも小さい場合に第１，３のトルク信号Ｔｒ1，Ｔｒ3の双方が正常であり、一方、信号差Ｄ1が第１の閾値α以上の場合に第１，３のトルク信号Ｔｒ1，Ｔｒ3の一方が異常であると判断する。
【００３８】
同様に、図下側の一対の第２，４のトルク検出素子３３ａ，３５ａにより検出した第２，４のトルク信号Ｔｒ2，Ｔｒ4が、第１の判断回路３６にそれぞれ出力され、これらのトルク信号Ｔｒ2，Ｔｒ4の差の絶対値Ｄ2（以下、「信号差Ｄ2」とする）が算出される。そして、第１の判断回路３６において、この信号差Ｄ2が所定の第１の閾値αと比較される。ここで、信号差Ｄ2が上記第１の閾値αよりも小さい場合に第２，４のトルク信号Ｔｒ2，Ｔｒ4の双方が正常であり、一方、信号差Ｄ2が第１の閾値α以上の場合に第２，４のトルク信号Ｔｒ2，Ｔｒ4の一方が異常であると判断する。
【００３９】
なお、本実施例では、上側の２つのトルク検出素子３２ａ，３４ａ同士および下側の２つのトルク検出素子３３ａ，３５ａ同士を比較しているが、任意の２つのトルク検出素子同士を比較するようにしても良い。
【００４０】
例えば、信号差Ｄ1が第１の閾値αよりも小さく、かつ信号差Ｄ2が第１の閾値α以上の場合には、第１，３のトルク信号Ｔｒ1，Ｔｒ3の双方が、正常トルク信号Ｔｒｎ1，Ｔｒｎ2として上記第１，２の信号線４４Ａ，４５Ａを介して制御装置２２内の対応する第１，２の出力信号受信部８３，８４へそれぞれ出力される。このとき、一方が異常なトルク信号である第２，４のトルク信号Ｔｒ2，Ｔｒ4は用いない。
【００４１】
なお、上記の場合には、正常と判断された第１，３のトルク信号Ｔｒ1，Ｔｒ3と、一方が異常な信号である第２，４のトルク信号Ｔｒ2，Ｔｒ4とを比較することにより異常トルク信号を特定し、第１，３のトルク信号Ｔｒ1，Ｔｒ3の一方と、第２，４のトルク信号Ｔｒ2，Ｔｒ4のうちの正常と判断されたトルク信号とが、第１，２の正常トルク信号Ｔｒｎ1，Ｔｒｎ2として上記第１，２の信号線４４Ａ，４５Ａを介して上記第１，２の出力信号受信部８３，８４へそれぞれ出力されるようにしても良い。
【００４２】
さらに、３つ以上の検出素子がある場合には多数決方式で異常トルク信号を特定することができるので、異常なトルク検出素子からのトルク信号を除いて、残りの正常なトルク検出素子からの任意の２つのトルク信号を選択し、第１，２の正常トルク信号Ｔｒｎ1，Ｔｒｎ2として上記第１，２の信号線４４Ａ，４５Ａにそれぞれ出力することも可能である。
【００４３】
上記ＣＰＵ３８へ出力された第１，２の正常トルク信号Ｔｒｎ1，Ｔｒｎ2は、上記信号比較回路７４において比較され、これらの信号Ｔｒｎ1，Ｔｒｎ2の差の絶対値Ｄ3（以下、「信号差Ｄ3」とする）が算出される。そして、この信号差Ｄ3が所定の第２の閾値βと比較される。ここで、信号差Ｄ3が第１の閾値βよりも小さい場合には、第１，２の正常トルク信号Ｔｒｎ1，Ｔｒｎ2の双方が正常な状態を維持しているとみなして第１の正常トルク信号Ｔｒｎ1を上記モータ指令信号演算部７６へ出力する。一方、信号差Ｄ3が第１の閾値β以上の場合には、上記信号異常判断回路７５は、第１，２の正常トルク信号Ｔｒｎ1，Ｔｒｎ2の一方にノイズが生じた、または上記第１，２の信号線４４Ａ，４５Ａの一方が断線したことによりトルク信号や信号線に異常が生じたものとみなして、この異常の情報を上記フェールセーフ処理部７７に送る。そして、フェールセーフ処理部７７は、第１の正常トルク信号Ｔｒｎ1がモータ指令信号演算部７６に出力されることを阻止し、かつ所定のフェールセーフ処理を実行する。
【００４４】
なお、上記制御装置２２側の第２の閾値βは、上記４重系トルクセンサ１６側の第１の閾値αと同じ値を用いることもできるが、必ずしも一致している必要はなく、異なる値であってもよい。
【００４５】
上記のように第１〜４のトルク信号Ｔｒ1，Ｔｒ2，Ｔｒ3，Ｔｒ4についての正常および異常の判断が電動モータ駆動用のＣＰＵ３８よりも上流側で予め行われた後に、ＣＰＵ３８が、正常と判断された信号Ｔｒｎ1，Ｔｒｎ2に基づいて電動モータ１７を駆動制御するので、ＣＰＵ３８の演算負荷を低減することができるとともに、装置の安全性を高めることができる。
【００４６】
即ち、ＣＰＵ３８の外部で、通常ではＣＰＵ３８が行うべき信号についての正常および異常の判断を予め行っておくことで、ＣＰＵ３８の演算負荷が低減する。
【００４７】
また、信号線４４Ａ，４４Ｂよりも上流側に第１の判断回路３６を設けるようにしたことから、ＣＰＵ３８側で第１〜４のトルク信号Ｔｒ1，Ｔｒ2，Ｔｒ3，Ｔｒ4についての正常および異常の判断を行う必要がなく、さらに、この判断のために第１〜４のトルク信号Ｔｒ1，Ｔｒ2，Ｔｒ3，Ｔｒ4の全てを対応する信号線を用いて伝達する必要がなくなる。これにより、センサハウジング１５と制御装置用ハウジング２３とを接続する信号線の数が削減される。
【００４８】
また、仮に、ＣＰＵ３８により信号の状態を判断する制御装置とセンサの検出素子とを接続しようとすると、１つの検出素子につき３つのライン（信号線、電力供給ライン、グランドライン）が必要となり、例えば４つの検出素子と制御装置とを接続する場合には、計１２個のラインが必要である。従って、上記のように４重系トルクセンサ１６や４重系モータ回転センサ５６側とＣＰＵ３８側とを接続した構成では５つまたは６つのラインで双方を接続することができるから、ラインの数が大幅に低減され、制御装置２２側のコネクタが小型化される。
【００４９】
さらに、第１の信号線４４Ａおよび第２の信号線４５Ａからなる２つの信号線を用いるようにしたことから、一方の信号線に異常が生じても、他方の信号線により信号を伝達することができる。
【００５０】
また、第１の電力供給部５０および第２の電力供給部５１からなる２系統で上記センサハウジング１５内の対応する検出素子３２ａ，３３ａ，３４ａ，３５ａおよび第１の判断回路３６に電力を供給するようにしたことから、一方の電力供給部が故障し、電力供給が遮断された場合であっても、他方の電力供給部から電力を供給することにより、トルク検出ならびに第１の判断回路３６における信号判断を継続することができる。
【００５１】
さらに、一対の検出素子３２ａ，３４ａと他の一対の検出素子３３ａ，３５ａとが、互いに異なる第１の電源および第２の電源からそれぞれ電力供給を受けるようにしたことから、一方の電源に異常が生じた場合であっても、他方の電源により電力供給を行うことにより、パワーステアリング装置の制御を継続することができる。
【００５２】
また、制御回路（ＣＰＵ３８）の第１の電源異常検出回路８０および第２の電源異常検出回路８２を用いて電源の異常を検出するようにしたことから、正常側の電源により駆動されるトルク検出素子からの信号をモータ制御用信号として採用する、異常側の電力供給を遮断する等の安全措置を行うことができる。
【００５３】
さらに、上記実施例では、第１の信号線４４Ａを介して第１の正常トルク信号Ｔｒｎ1を伝達し、第２の信号線４５Ａを介して第２の正常トルク信号Ｔｒｎ2を伝達するようにしてある。これにより、第１の正常トルク信号Ｔｒｎ1と第１の信号線４４Ａとの双方に同時に異常が発生する、または第２の正常トルク信号Ｔｒｎ2と第２の信号線４５Ａとの双方に同時に異常が発生するという可能性は非常に低いため、上記組み合わせで信号を伝達することにより、送信負荷を低減しながら、装置の安全性を向上させることができる。
【００５４】
また、上記実施例では、４つのトルク信号Ｔｒ1，Ｔｒ2，Ｔｒ3，Ｔｒ4を用いてトルク信号の正常および異常の判断を行っている。仮に、３つの信号を用いて正常であるか異常であるかを判断し、これらの３つの信号のうちの２つの信号に共通原因で異常が発生した場合に、異常信号が同値を示し、それが多数となることにより正常値と誤判断される虞があるが、４つの信号を用いることにより、この誤判断を抑制することができる。
【００５５】
図５は、本発明に係るパワーステアリング装置の第２の実施例を示している。この実施例では、図３の実施例の２つのトルク信号を送信する第１の信号線４４Ａおよび第２の信号線４５Ａの代わりに、第１の判断回路３６から１つのトルク信号を第１の信号線４４Ｂおよび第２の信号線４５Ｂからなる２本の信号線を介してＣＰＵ３８へと送信する構成となっている。
【００５６】
ここで、図３の実施例と同様に第１，３のトルク信号Ｔｒ1，Ｔｒ3同士および第２，４のトルク信号Ｔｒ2，Ｔｒ4同士を比較したときに信号差Ｄ1が第１の閾値αよりも小さく、かつ信号差Ｄ2が第１の閾値α以上の場合について説明する。この場合、第１，３のトルク信号Ｔｒ1，Ｔｒ3の双方が正常であると判断されるが、この正常なトルク信号Ｔｒ1，Ｔｒ3の任意の一方が、正常トルク信号Ｔｒｎとして第１の判断回路３６から出力される。そして、正常トルク信号Ｔｒｎは、上記第１，２の信号線４４Ｂ，４５Ｂの双方を介して制御装置２２内の対応する第１，２の出力信号受信部８３，８４へそれぞれ出力される。このとき、一方が異常なトルク信号である第２のトルク信号Ｔｒ2および第４のトルク信号Ｔｒ4は用いない。
【００５７】
なお、上記の場合に、図３の実施例と同様に、正常と判断された第１，３のトルク信号Ｔｒ1，Ｔｒ3と、一方が異常な信号である第２，４のトルク信号Ｔｒ2，Ｔｒ4とを比較することにより異常トルク信号を特定することができるので、第１，３のトルク信号Ｔｒ1，Ｔｒ3と、第２，４のトルク信号Ｔｒ2，Ｔｒ4のうちの正常と判断されたトルク信号との３つの信号の中の任意の１つを、上記第１，２の信号線４４Ｂ，４５Ｂを介して上記第１，２の出力信号受信部８３，８４へそれぞれ出力するようにしても良い。
【００５８】
さらに、３つ以上の検出素子があれば、図３の実施例と同様に多数決方式で異常トルク信号を特定することができるので、任意の１つの正常トルク信号Ｔｒｎを、上記第１，２の信号線４４Ｂ，４５Ｂを介して伝達するようにしても良い。
【００５９】
また、上記第１の信号線４４Ｂからの正常トルク信号（出力信号）Ｔｒｎと、上記第２の信号線４５Ｂからの正常トルク信号（出力信号）Ｔｒｎとは、通信の開始を示すトリガーパルスと通信の終了を示すエンドパルスとの間に車両の運転状態を示す所定の複数のデータが含まれるシリアルデータ信号、例えばＳＰＣ（Ｓｈｏｒｔ  ＰＷＭ  Ｃｏｄｅｓ）を用いて通信されるデータ信号である。上記所定の複数のデータには、例えば、データ列の先頭に検出素子に関するステータス情報が含まれている。ＣＰＵ３８は、上記第１，２の信号線４４Ｂ，４５Ｂの２つの正常トルク信号Ｔｒｎ，Ｔｒｎの異常を検出する第２の判断回路８５を備えている。この第２の判断回路８５は、上記第１の信号線４４Ｂの正常トルク信号Ｔｒｎまたは上記第２の信号線４５Ｂの正常トルク信号Ｔｒｎ内に上記所定の複数のデータの少なくとも１つが含まれていないこと、または上記所定の複数のデータの順序が異なることを検出することにより上記異常を検出する。
【００６０】
従って、この実施例によっても、ＣＰＵ３８の演算負荷を低減することができるとともに、装置の安全性を高めることができる。
【００６１】
図６は、本発明に係るパワーステアリング装置の第３の実施例を示している。この実施例では、図３の実施例の第１の信号線４４Ａおよび第２の信号線４５Ａの代わりに、単一の信号線８６を用いて、第１の判断回路３６とＣＰＵ３８とが接続されている。また、本実施例では、単一の信号線８６が用いられるので、図３の実施例の信号比較回路７４および信号異常判断回路７５を省略することができる。
【００６２】
また、上記信号線８６は第１の判断回路３６で正常と判断された１つの正常トルク信号ＴｒｎをＣＰＵ３８へと出力する単一の信号線であるため、第１の判断回路３６におけるトルク信号の正常および異常の判断は、図５の実施例と同様である。
【００６３】
従って、この実施例によっても、ＣＰＵ３８の演算負荷が低減する。
【００６４】
なお、上記各実施例では、車両に適用されるパワーステアリング装置の例を開示したが、パワーステアリング装置以外のアクチュエータを備えた車両搭載機器の制御装置に本発明を適用することもできる。
【００６５】
また、上記各実施例では、センサハウジング１５側の４重系トルクセンサ１６について、ＣＰＵ３８よりも上流側でトルク信号の正常および異常を判断し、電動モータ１７側の４重系モータ回転センサ５６についても、ＣＰＵ３８よりも上流側でモータ回転信号の正常および異常を判断しているが、４重系トルクセンサ１６および４重系モータ回転センサ５６のいずれか一方についてのみ、上流側で異常判断を行って、ＣＰＵ３８と少数のラインで接続した構成とすることもできる。
【００６６】
さらに、上記各実施例では、４重系トルクセンサ１６の４つのトルク検出素子３２ａ，３３ａ，３４ａ，３５ａを用いて４つのトルク信号Ｔｒ1，Ｔｒ2，Ｔｒ3, Ｔｒ4を検出する例を開示したが、共通の１つの検出素子によって検出された後、互いに異なる複数の電子回路を介して出力された４つのトルク信号Ｔｒ1，Ｔｒ2，Ｔｒ3, Ｔｒ4を用いるようにしても良い。
【００６７】
以上説明した実施例に基づくパワーステアリング装置としては、例えば、以下に述べる態様のものが考えられる。
【００６８】
パワーステアリング装置は、その１つの態様において、ステアリングホイールの操舵操作に応じて転舵輪を転舵させる操舵機構と、上記操舵機構に操舵力を付与する電動モータと、第１のマイクロプロセッサを備え、上記電動モータを駆動制御する制御装置と、上記操舵機構または上記電動モータに設けられ、操舵状態を検出する操舵状態検出部と、上記操舵状態検出部と上記制御装置との間に設けられた第２のマイクロプロセッサと、上記第２のマイクロプロセッサに設けられた第１の判断回路と、上記制御装置に設けられ、上記第１の判断回路の出力信号が入力される第１の判断回路出力信号受信部と、上記制御装置に設けられたモータ指令信号演算部と、を備えている。上記操舵状態検出部は、複数の検出素子の夫々から出力される複数の信号、または共通の検出素子によって検出された後、互いに異なる複数の電子回路を介して出力される複数の信号である第１の信号、第２の信号および第３の信号を出力する。上記第１の判断回路は、上記第１の信号、上記第２の信号および上記第３の信号同士を比較することにより、上記第１の信号、上記第２の信号または上記第３の信号が正常であるか異常であるかを判断する。上記モータ指令信号演算部は、上記第１の判断回路において正常と判断された信号に基づいて、上記電動モータへの指令信号を演算し、出力する。
【００６９】
上記パワーステアリング装置の好ましい態様において、上記パワーステアリング装置は、上記制御装置を収容する第１のハウジングと、上記第２のマイクロプロセッサを収容する第２のハウジングと、上記第１のハウジングと上記第２のハウジングとを接続し、上記第１の判断回路の出力信号を上記制御装置に伝達する信号線と、を備えている。
【００７０】
別の好ましい態様では、上記パワーステアリング装置の態様のいずれかにおいて、上記信号線は、第１の信号線および第２の信号線を有している。
【００７１】
さらに別の好ましい態様では、上記パワーステアリング装置の態様のいずれかにおいて、上記第１の信号線の出力信号および上記第２の信号線の出力信号は、通信の開始を示すトリガーパルスと通信の終了を示すエンドパルスとの間に車両の運転状態を示す所定の複数のデータが含まれるシリアルデータ信号であって、上記第１のマイクロプロセッサは、上記第１の信号線の出力信号または上記第２の信号線の出力信号内に上記所定の複数のデータの少なくとも１つが含まれていない、または上記所定の複数のデータの順序が異なることを検出することにより、上記第１の信号線の出力信号または上記第２の信号線の出力信号の異常を検出する第２の判断回路を有している。
【００７２】
さらに別の好ましい態様では、上記パワーステアリング装置の態様のいずれかにおいて、上記第１の信号は、上記第１の信号線により上記制御装置に伝達され、上記第２の信号は、上記第２の信号線により上記制御装置に伝達され、上記制御装置は、上記第１の信号、上記第２の信号および上記第３の信号のうちの２つを選択し、これらの２つの信号同士の比較を行うことにより、これらの２つの信号が正常であるか異常であるかを判断する異常判断回路を有している。
【００７３】
さらに別の好ましい態様では、上記パワーステアリング装置の態様のいずれかにおいて、上記操舵状態検出部は、上記第１の信号、上記第２の信号および上記第３の信号を検出するための検出素子または電子回路とは異なる検出素子または電子回路によって検出される第４の信号を出力し、上記第１の判断回路は、上記第１の信号、上記第２の信号、上記第３の信号または上記第４の信号が正常であるか異常であるかを判断する。
【００７４】
さらに別の好ましい態様では、上記パワーステアリング装置の態様のいずれかにおいて、上記信号線は、上記第１の判断回路の出力信号を上記制御装置に伝達する少なくとも１つの信号伝達ラインであり、上記パワーステアリング装置は、上記制御装置側から上記第２のマイクロプロセッサに電力を供給する少なくとも２つの電力供給ラインと、接地用の２つのグランドラインと、をさらに有している。
【００７５】
さらに別の好ましい態様では、上記パワーステアリング装置の態様のいずれかにおいて、上記第１の判断回路は、第１の電源から電力が供給される第１の電力供給部と、上記第１の電源とは異なる第２の電源から電力が供給される第２の電力供給部と、に接続されている。
【００７６】
さらに別の好ましい態様では、上記パワーステアリング装置の態様のいずれかにおいて、上記第１の電源からの電力は、上記操舵状態検出部のうちの上記第１の信号を検出する上記検出素子または上記電子回路に供給され、上記第２の電源からの電力は、上記操舵状態検出部のうちの上記第２の信号を検出する上記検出素子または上記電子回路に供給される。
【００７７】
さらに別の好ましい態様では、上記パワーステアリング装置の態様のいずれかにおいて、上記制御回路は、上記第１の電源の異常を検出する第１の電源異常検出回路と、上記第２の電源の異常を検出する第２の電源異常検出回路と、を有している。
【００７８】
また、以上説明した実施例に基づく、パワーステアリング装置以外のアクチュエータを備えた車両搭載機器の制御装置としては、例えば、以下に述べる態様のものが考えられる。
【００７９】
アクチュエータを備えた車両搭載機器の制御装置は、その１つの態様において、第１のマイクロプロセッサを備え、上記アクチュエータを駆動制御する制御装置と、上記車両搭載機器に設けられ、車両の運転状態を検出する運転状態検出部と、上記運転状態検出部と上記制御装置との間に設けられた第２のマイクロプロセッサと、上記第２のマイクロプロセッサに設けられた第１の判断回路と、上記制御装置に設けられ、上記第１の判断回路の出力信号が入力される第１の判断回路出力信号受信部と、上記制御装置に設けられたアクチュエータ指令信号演算部と、を備えている。上記運転状態検出部は、複数の検出素子の夫々から出力される複数の信号、または共通の検出素子によって検出された後、互いに異なる複数の電子回路を介して出力される複数の信号である第１の信号、第２の信号および第３の信号を出力する。上記第１の判断回路は、上記第１の信号、上記第２の信号および上記第３の信号同士を比較することにより、上記第１の信号、上記第２の信号または上記第３の信号が正常であるか異常であるかを判断する。上記アクチュエータ指令信号演算部は、上記第１の判断回路において正常と判断された信号に基づいて、上記アクチュエータへの指令信号を演算し、出力する。
【００８０】
前記車両搭載機器の制御装置の好ましい態様において、前記車両搭載機器の制御装置は、上記制御装置を収容する第１のハウジングと、上記第２のマイクロプロセッサを収容する第２のハウジングと、上記第１のハウジングと上記第２のハウジングとを接続し、上記第１の判断回路の出力信号を上記制御装置に伝達する信号線と、を備えている。
【００８１】
別の好ましい態様では、前記車両搭載機器の制御装置の態様のいずれかにおいて、上記信号線は、第１の信号線および第２の信号線を有している。
【００８２】
さらに別の好ましい態様では、前記車両搭載機器の制御装置の態様のいずれかにおいて、上記第１の信号線の出力信号および上記第２の信号線の出力信号は、通信の開始を示すトリガーパルスと通信の終了を示すエンドパルスとの間に車両の運転状態を示す所定の複数のデータが含まれるシリアルデータ信号であって、上記第１のマイクロプロセッサは、上記第１の信号線の出力信号または上記第２の信号線の出力信号内に上記所定の複数のデータの少なくとも１つが含まれていない、または上記所定の複数のデータの順序が異なることを検出することにより、上記第１の信号線の出力信号または上記第２の信号線の出力信号の異常を検出する第２の判断回路を有している。
【００８３】
さらに別の好ましい態様では、前記車両搭載機器の制御装置の態様のいずれかにおいて、上記第１の信号は、上記第１の信号線により上記制御装置に伝達され、上記第２の信号は、上記第２の信号線により上記制御装置に伝達され、上記制御装置は、上記第１の信号、上記第２の信号および上記第３の信号のうちの２つを選択し、これらの２つの信号同士の比較を行うことにより、これらの２つの信号が正常であるか異常であるかを判断する異常判断回路を有している。
【００８４】
さらに別の好ましい態様では、前記車両搭載機器の制御装置の態様のいずれかにおいて、上記運転状態検出部は、上記第１の信号、上記第２の信号および上記第３の信号を検出するための検出素子または電子回路とは異なる検出素子または電子回路によって検出される第４の信号を出力し、上記第１の判断回路は、上記第１の信号、上記第２の信号、上記第３の信号または上記第４の信号が正常であるか異常であるかを判断する。
【００８５】
さらに別の好ましい態様では、前記車両搭載機器の制御装置の態様のいずれかにおいて、上記信号線は、上記第１の判断回路の出力信号を上記制御装置に伝達する少なくとも１つの信号伝達ラインであり、上記車両搭載機器の制御装置は、上記制御装置側から上記第２のマイクロプロセッサに電力を供給する少なくとも２つの電力供給ラインと、接地用の２つのグランドラインと、をさらに有している。
【００８６】
さらに別の好ましい態様では、前記車両搭載機器の制御装置の態様のいずれかにおいて、上記第１の判断回路は、第１の電源から電力が供給される第１の電力供給部と、上記第１の電源とは異なる第２の電源から電力が供給される第２の電力供給部と、に接続されている。
【００８７】
さらに別の好ましい態様では、前記車両搭載機器の制御装置の態様のいずれかにおいて、上記第１の電源からの電力は、上記操舵状態検出部のうちの上記第１の信号を検出する上記検出素子または上記電子回路に供給され、上記第２の電源からの電力は、上記操舵状態検出部のうちの上記第２の信号を検出する上記検出素子または上記電子回路に供給される。
【００８８】
さらに別の好ましい態様では、前記車両搭載機器の制御装置の態様のいずれかにおいて、上記制御回路は、上記第１の電源の異常を検出する第１の電源異常検出回路と、上記第２の電源の異常を検出する第２の電源異常検出回路と、を有している。
【図１】
2016163249.tif 000003
【図２】
2016163249.tif 000004
【図３】
2016163249.tif 000005
【図４】
2016163249.tif 000006
【図５】
2016163249.tif 000007
【図６】
2016163249.tif 000008
【国際調査報告】
2016163249.tif 000009
2016163249.tif 000010
2016163249.tif 000011
2016163249.tif 000012